(57)【要約】      （修正有）【課題】プール等に必要以上の塩素成分が供給されない塩素成分供給装置を提供する。【解決手段】塩素成分水溶液を得るための溶解器Ｐ、溶解器Ｐに水を供給する配管（ｉ）、溶解器Ｐから塩素成分水溶液を排出する配管（ｏ）、配管（ｉ）から分岐し溶解器Ｐを通らずに配管（ｏ）に合流する配管（ｂ）、配管（ｂ）の途中に設けられた定流量弁ＣＶ、配管（ｂ）の途中で定流量弁ＣＶの上流若しくは下流に設けられた塩素濃度測定手段Ｓ、配管（ｂ）の途中で定流量弁ＣＶの上流若しくは下流または塩素濃度測定手段Ｓの上流若しくは下流に設けられた流量スイッチＲＳ、および配管（ｉ）の途中で配管（ｉ）の分岐部と溶解器Ｐとの間に設けられた流量調整弁Ｖを有し、塩素濃度測定手段Ｓによって測定される塩素濃度に基づいて流量調整弁Ｖの開度を調節することができ、且つ配管（ｂ）を流れる水の量が所定値を下回ったときに流量スイッチＲＳを切り替える。【選択図】図１
2014176781.tif 000002
【特許請求の範囲】
【請求項１】
塩素成分を水に溶かし塩素成分水溶液を得るための溶解器、
溶解器に水を供給するための配管（ｉ）、
溶解器から塩素成分水溶液を排出するための配管（ｏ）、
配管（ｉ）から分岐し溶解器を通らずに配管（ｏ）に合流する配管（ｂ）、
配管（ｂ）の途中に設けられた定流量弁、
配管（ｂ）の途中で定流量弁の上流若しくは下流に設けられた塩素濃度測定手段、
配管（ｂ）の途中で定流量弁の上流若しくは下流または塩素濃度測定手段の上流若しくは下流に設けられた流量スイッチ、および
配管（ｉ）の途中で配管（ｉ）の分岐部と溶解器との間に設けられた流量調整弁、
を有し、
塩素濃度測定手段によって測定される塩素濃度に基づいて流量調整弁の開度を調節することができ、且つ配管（ｂ）を流れる水の量が所定値を下回ったときに流量スイッチが切り替わることを特徴とする、水に塩素成分を供給するための装置。
【請求項２】
警報手段をさらに有し、
流量スイッチが切り替わったときに警報手段が作動する、
請求項１に記載の装置。
【請求項３】
配管（ｉ）または配管（ｏ）のいずれか少なくともひとつに設けられた遮断弁をさらに有し、
流量スイッチが切り替わったときに遮断弁を作動させて水の流量を抑制する、
請求項１または２に記載の装置。
【発明の詳細な説明】
【技術分野】
【０００１】
本発明は、水に塩素成分を供給するための装置に関する。より詳細に本発明は、プール循環水、浴場循環湯などの水の滅菌処理等を行うために水に塩素成分を供給するための装置に関する。
【背景技術】
【０００２】
プール循環水、浴場循環湯などの水は、次亜塩素酸カルシウムやトリクロルイソシアヌル酸などの塩素化剤を用いて雑菌消毒処理を行い、循環使用される。この処理を行うために水に塩素成分を供給するための装置が各種提案されている。
【０００３】
特許文献１には、プール循環水、浴場循環湯などの水を使用する施設の利用状況に応じて、水への塩素成分供給量を調整するための特別な手段を設けることによって、塩素薬剤の消費量の低減、塩素濃度制御機構に要する電力の節約などができる塩素成分供給装置および水処理方法が提案されている。
しかしながら、この塩素成分供給装置では、塩素濃度測定手段である塩素濃度センサーに流れる水量が所定値を下回ったときに、測定される塩素濃度が実際の濃度よりも低く測定されることがあり、これによりプール等に必要以上の塩素成分を供給してしまう、といった問題がある。
【先行技術文献】
【特許文献】
【０００４】
【特許文献１】ＷＯ  ２０１２／１１７７１２  Ａ１
【発明の概要】
【発明が解決しようとする課題】
【０００５】
本発明は、塩素濃度測定手段に流れる水量が所定値を下回ったときに、プール等に必要以上の塩素成分が供給されない塩素成分供給装置を提供することを課題とする。
【課題を解決するための手段】
【０００６】
本発明者は、前記課題を解決するために鋭意検討した結果、以下の形態を包含する本発明を完成するに至った。
【０００７】
〔１〕  塩素成分を水に溶かし塩素成分水溶液を得るための溶解器、
溶解器に水を供給するための配管（ｉ）、
溶解器から塩素成分水溶液を排出するための配管（ｏ）、
配管（ｉ）から分岐し溶解器を通らずに配管（ｏ）に合流する配管（ｂ）、
配管（ｂ）の途中に設けられた定流量弁、
配管（ｂ）の途中で定流量弁の上流若しくは下流に設けられた塩素濃度測定手段、
配管（ｂ）の途中で定流量弁の上流若しくは下流または塩素濃度測定手段の上流若しくは下流に設けられた流量スイッチ、および
配管（ｉ）の途中で配管（ｉ）の分岐部と溶解器との間に設けられた流量調整弁、を有し、
塩素濃度測定手段によって測定される塩素濃度に基づいて流量調整弁の開度を調節することができ、且つ配管（ｂ）を流れる水の量が所定値を下回ったときに流量スイッチが切り替わることを特徴とする、水に塩素成分を供給するための装置。
【０００８】
〔２〕  警報手段をさらに有し、流量スイッチが切り替わったときに警報手段が作動する、〔１〕に記載の装置。
〔３〕  配管（ｉ）または配管（ｏ）のいずれか少なくともひとつに設けられた遮断弁をさらに有し、流量スイッチが切り替わったときに遮断弁を作動させて水の流量を抑制する、〔１〕または〔２〕に記載の装置。
【発明の効果】
【０００９】
本発明の塩素成分供給装置は、塩素濃度測定手段に流れる水量が所定値を下回ったときに流量スイッチが切り替わって、警報アラームの作動や警告灯の点灯によって警告を発し、オペレーターに注意を促したり、遮断弁を作動させることができる。それによって、塩素成分水溶液の供給を強制的に中止させて、プール等に必要以上の塩素が供給されないようにすることができる。
【図面の簡単な説明】
【００１０】
【図１】本発明の塩素成分供給装置を示す図である。
【発明を実施するための形態】
【００１１】
以下、図１を参照しながら、本発明を説明する。ただし、本発明は図１に示したものに限定されず、本発明の趣旨および範囲において形状等を変えたものを含む。
【００１２】
本発明の塩素成分供給装置は、塩素成分を水に溶かし塩素成分水溶液を得るための溶解器Ｐ、溶解器に水を供給するための配管（ｉ）、溶解器から塩素成分水溶液を排出するための配管（ｏ）、配管（ｉ）から分岐し溶解器を通らずに配管（ｏ）に合流する配管（ｂ）、  配管（ｂ）の途中に設けられた定流量弁ＣＶ、配管（ｂ）の途中で定流量弁の上流若しくは下流に設けられた塩素濃度測定手段Ｓ、配管（ｂ）の途中で定流量弁の上流若しくは下流または塩素濃度測定手段の上流若しくは下流に設けられた流量スイッチＲＳ、および配管（ｉ）の途中で配管（ｉ）の分岐部と溶解器との間に設けられた流量調整弁Ｖ、を有するものである。
さらに、当該装置は、塩素濃度測定手段によって測定される塩素濃度に基づいて流量調整弁の開度を調節することができ、さらに配管（ｂ）を流れる水の量が所定値を下回ったときに流量スイッチが切り替わることを特徴とするものである。
【００１３】
図１に示すように、プール、浴槽などから水を抜き出し、配管（ｉ）を通して塩素成分供給装置に水を流入させる。塩素成分供給装置から流出した水は配管（ｏ）を通して、プール、浴槽などに戻される。また、図１に示すように、濾過装置Ｆを塩素成分供給装置と並列に取り付けることができる。
【００１４】
塩素成分を水に溶かし塩素成分水溶液を得るための溶解器Ｐは、特に限定されない。例えば、特開２００３−２８５８５１号公報に記載の薬剤タンク、特開平８−９９０８９号公報に記載のポンプ圧入式滅菌器、特開昭５９−１４２８９０号公報に記載の固形薬剤溶解装置などを挙げることができる。
【００１５】
塩素成分は、例えば、次亜塩素酸カルシウムなどの無機塩素化剤、トリクロロイソシアヌル酸、ジクロロイソシアヌル酸、ジクロロイソシアヌル酸ナトリウム、ジクロロイソシアヌル酸カリウムなどの有機塩素化剤などの固形薬剤を用いることができる。溶解器Ｐに流入した水を溶解器内部にある固形薬剤に接触させ、固形薬剤を水に溶解させる。固形薬剤が溶け込んだ水は、配管（ｏ）を通して、プール、浴槽などに戻される。これによって、水の殺菌消毒等が行われる。
【００１６】
固形薬剤の溶解量、すなわち塩素成分供給量は、溶解器Ｐに流れこむ水量を調整することによって、調整することができる。水量調整は、配管（ｂ）の途中で定流量弁ＣＶの上流若しくは下流に設けられた塩素濃度測定手段Ｓによって測定される塩素濃度に基づいて、配管（ｉ）の途中で配管（ｂ）の分岐部と溶解器との間に設けられた流量調整弁Ｖの開度によって行われる。塩素濃度測定手段としては、塩素濃度センサーを用いることができる。流量調整弁の開度は、弁の開度を制御することによって行うこともできるし、弁の開閉時間の長さによって行うこともできる。弁の開閉時間の長さによって水量調整する方法は、設備が安価で且つ低運転コストなので好ましい。この様な流量調整弁としては電磁弁が挙げられる。
【００１７】
配管（ｂ）を流れる水の量は、定流量弁ＣＶによって所定値が保たれている。しかしながら、従来の塩素成分供給装置においては、定流量弁ＣＶは弁の上流の水圧が充分に高く安定している場合には、配管（ｂ）を流れる水の量は安定して所定値が保たれているが、何らかの原因によって、定流量弁の上流の水圧が下がった場合や大きく変動した時には、定流量弁ＣＶが正常に作動しなくなり、配管（ｂ）を流れる水の量が所定値を下回ることがある。この様な時は、塩素濃度測定手段によって測定される塩素濃度が、実際の濃度よりも低く測定されることがある。塩素濃度が低いと測定されると、この測定された塩素濃度に基づいて、正常な塩素濃度に戻そうと流量調整弁Ｖの開度は大きくなり、溶解器への水量が多くなり、結果として、プール等に必要以上の塩素を供給してしまうと言う問題がある。
【００１８】
本発明の塩素成分供給装置は、この様な問題を改善するために、配管（ｂ）の途中で定流量弁の上流若しくは下流または塩素濃度測定手段の上流若しくは下流に、好ましくは定流量弁の上流に、流量スイッチＲＳを設けている。配管（ｂ）を流れる水の量が所定値を下回ると、流量スイッチのＯＮ−ＯＦＦが切り替わり、溶解器への水量が多くならない様に、警報手段の作動や遮断弁の作動、等の対策が施される。なお、流量スイッチは流量監視、目詰まりチェックなどの用途に使用される公知の検知機器である。流量スイッチとしては、例えば、ニコム測器社製の小型流量スイッチ、キーエンス社製の小型流量センサー、ダナハＩＣＧジャパン社製のピストン型流量スイッチ等の市販品を挙げることができる。
【００１９】
本発明の塩素成分供給装置は、警報手段をさらに有することができる。流量スイッチが切り替わったとき、警報手段が作動する。警報手段としては、警報アラームや警告灯を用いることができる。この警報手段によって警告を発し、オペレーターに注意を促し塩素成分水溶液の供給を強制的に中止させることでプール等に必要以上の塩素成分が供給されないようにすることができる。
【００２０】
本発明の塩素成分供給装置は、配管（ｉ）または配管（ｏ）のいずれか少なくともひとつに設けられた遮断弁をさらに有することができる。流量スイッチが切り替わったときに遮断弁が作動する。遮断弁の作動によって、塩素成分水溶液の供給を強制的に中止させることでプール等に必要以上の塩素成分が供給されないようにすることができる。
【実施例】
【００２１】
次に、実施例を示して本発明をより具体的に説明する。ただし、本発明は、この実施例によって限定されるものではない。
【００２２】
実施例１
図１に示す本発明の塩素成分供給装置を用いた。プール水中の塩素濃度測定手段として、塩素濃度センサーを用い、塩素濃度センサーへの水取り込み口に定流量弁を設置し、定流量弁の上流に、流量スイッチ（ニコム測器社製；２ＹＩ０１８７）を設置し、配管（ｂ）を流れる水の流量が所定値を下回り、流量スイッチが切り替わったときにアラームが鳴る様に警報機を取り付け、さらに配管（ｉ）の分岐部の上流に遮断弁を設置した。
配管（ｉ）を流れる水の圧力を高くして、配管（ｂ）に所定値の水を流した。塩素成分供給装置は安定して作動した。
その後、配管（ｉ）を流れる水の圧力を下げたところ、定流量弁の機能が不安定となり、配管（ｂ）に流れる水量が所定値を下回った。配管（ｂ）に流れる水量が、所定値の９５％となった所で、流量スイッチが切り替わり、アラームが鳴り、遮断弁が作動した。これによって、プール等に必要以上の塩素成分が供給されないようにすることができた。
【００２３】
比較例１
流量スイッチ、警報機、及び遮断弁を設置しなかった他は、実施例１と同様の塩素成分供給装置を用いた。
配管（ｉ）を流れる水の圧力を高くして、配管（ｂ）に、所定値の水を流した。塩素成分供給装置は安定して作動した。
その後、配管（ｉ）を流れる水の圧力を下げたところ、定流量弁の機能が不安定となり、配管（ｂ）に流れる水量が所定値を下回った。そして、塩素濃度センサーで測定される塩素濃度が実際の濃度よりも低く測定され、この低く測定された塩素濃度に基づいて流量調整弁Ｖの開度が大きくなり、溶解器に流入する水量が増加して、プール等に必要以上の塩素成分が供給された。
【符号の説明】
【００２４】
ＣＶ：定流量弁
Ｓ：塩素濃度測定手段
Ｖ：流量調整弁
ＲＳ：流量スイッチ
Ｐ：溶解器
Ｆ：濾過装置
【図１】
2014176781.tif 000003